(57)【要約】【課題】ピットのジッタを悪化させることなくピット部のトラッキングエラー信号とＷＣＮ（Wobble C／N比）を改善する。【解決手段】光情報記録媒体は、予めプリピット１が設けられたＲＯＭ領域を有している。そしてＲＯＭ領域のプリピット列のプリピット１間に、当該プリピット１よりも浅いピット（ピット間ピット）３が形成されている。このような構成により、トラッキングエラー信号、ＷＣＮ等を改善し、さらにピット間溝によるジッタの悪化を防ぐことができる。【選択図】図２
2007226965.tif 000002
【特許請求の範囲】
【請求項１】
予めプリピットが設けられたＲＯＭ領域を有する光情報記録媒体において、前記ＲＯＭ領域のプリピットの列のプリピット間に該プリピットよりも浅いピットが形成されていることを特徴とする光情報記録媒体。
【請求項２】
請求項１に記載の光情報記録媒体において、前記プリピット間のピットは、二つのプリピットの両方に連結していることを特徴とする光情報記録媒体。
【請求項３】
請求項１に記載の光情報記録媒体において、前記プリピット間のピットの深さが、前記案内溝の深さに同等であることを特徴とする光情報記録媒体。
【請求項４】
請求項１に記載の光情報記録媒体において、前記プリピット間のピットの幅は、前記案内溝の幅に同等であるか、または前記案内溝の幅よりも狭いことを特徴とする光情報記録媒体。
【請求項５】
前記ＲＯＭ領域のプリピット列のプリピット間に該プリピットよりも浅いピットが設けられ、該プリピット間に設けられたピットのウォブリング量が、前記プリピットのウォブリング量より大きいことを特徴とする請求項１に記載の光情報記録媒体。
【請求項６】
前記ＲＯＭ領域と、プリグルーブが設けられた記録可能なＲＡＭ領域とが形成されていることを特徴とする請求項１に記載の光情報記録媒体。
【発明の詳細な説明】
【技術分野】
【０００１】
本発明は、光情報記録媒体、より具体的には、ＣＤ−Ｒ(Compact Disk Recordable),ＣＤ−ＲＷ(Compact Disk Rewritable）メディア等の光情報記録媒体に関し、特に予めプリピットが設けられたＲＯＭ領域と案内溝が設けられた記録可能領域とを有する光情報記録媒体に関する。
【背景技術】
【０００２】
ＣＤ−Ｒと呼ばれる追記可能なコンパクトディスク（ＣＤ）は、オレンジブックと呼ばれる規格書で規定されている。通常のＣＤ−Ｒには、その全面にプリグルーブが配されている。このプリグルーブは蛇行（ウォブリング）していて、このウォブリングの周期の変動により、ＡＴＩＰ(Absolute time in pre-groove)と呼ばれる時間情報が記録されている。ＣＤ−Ｒは、内周側から、光量設定を行うＰＣＡ(power calibration Area)、追記時の位置を記録するＰＭＡ(Program memory Area)、目次情報（Table of contents)を記録するＬＩＡ(Lead-in Area)、データを記録する情報領域（Program Area)等の領域に区分され、ＣＤライターを用いてプリグルーブに沿ってピットを記録することにより情報が記録される。
【０００３】
ＣＤ−Ｒは、情報を記録後に、記録された位置情報（ＡＴＩＰ時間）をＰＭＡに記録することにより追記できる。よって、追記後のＣＤ−Ｒは、情報領域の一部及びＰＭＡの一部にピットが形成される。また、ＣＤ−Ｒには、一部に予めプリピットが記録されたものもあり、ハイブリッドディスクと呼ばれていて、情報領域とＰＭＡの一部がプリピットで形成される。プリピットもプリグルーブと同様に蛇行している。
【０００４】
図９及び図１０は、ハイブリッドＣＤ−Ｒの作成方法の一例を説明するための図である。図９（Ａ）のレジスト形成工程では、円盤状のガラス板１０を用意し、このガラス板上に中間層１２を間に挟んで２層のフォトレジスト１１，１３を形成する。図９（Ｂ）の露光工程では、露光装置で回転させながらレーザ光ｌをフォトレジスト膜１１，１３に照射して、フォトレジスト膜１１、１３にらせん状の潜像ｉを形成する。そして図９（Ｃ）の現像工程において潜像部分を溶解させる。このとき得られる深いプリピット１と浅いグルーブ（ピット間溝）２は、上記の露光工程における露光光量の制御により作り分けられる。なお、図９（Ｃ）においてＩ1は記録領域、Ｉ2はＲＯＭ領域、Ｉは情報領域を示す。
【０００５】
そして図９（Ｄ）の電鋳工程でスタンパ１４となる電鋳層を形成し、図１０（Ｅ）のガラス剥離工程でガラス板１０を剥離し、図１０（Ｆ）のレジスト除去・スタンパ化工程により残存しているフォトレジスト１１，１３を除去して、上層フォトレジスト１３の上面から下層フォトレジスト１１の下面までの深さを有する深いピット形成部１′と、上層フォトレジスト１３の上面から下層フォトレジスト１１の上面までの深さを有する浅いグルーブ形成部２′とを有するスタンパ１４を作成する。
【０００６】
図１０（Ｇ）の成形工程では、得られたスタンパ１４を用いて成形を行い、成形板１５を多量に複製する。そして図１０（Ｈ）の記録剤塗布工程で、成形板１５の全面に記録剤１６を塗布し、さらに図１０（Ｉ）の反射層・保護層形成工程で反射層１７と保護層１８とを形成する。以上の工程により、露光装置により一部に情報が予め記録されたハイブリッドＣＤ−Ｒが作成される。
【０００７】
次に、具体的な従来例について説明する。従来、プリピットで形成されたＲＯＭ領域は、プリグルーブで形成された記録可能領域に比べトラッキングエラー信号（push-pull信号）が小さくなるという問題があった。これを改善するために、例えば、特許文献１では、情報記録媒体のアドレスピットとアドレスピットの間にプリグルーブよりも広く浅いピット間溝を形成し、プリピット領域のトラッキングエラーを改善している。
【０００８】
また特許文献２のものは、上記ハイブリッドディスクのプリピットとプリピットの間にプリグルーブと同じ深さと幅を持つピット間溝を形成し、プリピット領域とプリグルーブ領域の反射率の変動をなくしている。また、特許文献３では、記録再生可能領域と再生専用領域が混在したパーシャルＲＯＭで、プリグルーブが形成された記録再生可能領域とプリピットが形成された再生専用領域のトラッキングエラー信号が同等になるようなピット間溝をプリピットとプリピットの間に形成している。
【０００９】
また特許文献４では、パーシャルＲＯＭで、プリピットが形成された再生専用領域のトラッキングエラー信号とＣＴＳ(cross track signal)信号を改善するため、プリピットとプリピットの間をプリピットよりも狭くλ/８ｎよりも浅いピット間溝を形成している。また、特許文献５では、プリピットをウォブリングした場合、プリグルーブに比べＷＣＮ（wobble C/N比）が低く、ウォブル量を増やすとジッタが増えてしまう問題があり、これを解決手段として上記プリピットとプリピットの間のグルーブを設けている。
【００１０】
図１１及び図１２は、上記のごとくのプリピットとプリピットとを連結するピット間溝を説明する図で、図１１（Ａ）はピット間溝を配さない従来のピット構成を概略的に示す部分拡大平面図で、図１１（Ｂ）は図１１（Ａ）の断面（ＣＤ−Ｒの円周方向断面）の形状を概略的に示す図である。また図１２（Ａ）はピット間溝を配した従来のピット構成を概略的に示す部分拡大平面図で、図１２（Ｂ）は図１２（Ａ）の断面（ＣＤ−Ｒの円周方向断面）の形状を概略的に示す図である。また、図１３は、図１２に示すごとくのプリピット１及びピット間溝２を形成したＲＯＭ領域を示す部分斜視図である。
【００１１】
図１２に示すように、プリピット１と他のプリピット１との間をピット間溝２でつなぐと、そのピット間溝２の影響で、プリピット１がトラック方向に、伸びた形状となってしまい、かつその伸び方が一様でなく、またプリピット１のトラック方向断面の傾斜角が小さくなってしまい、プリピットのジッタが悪くなるという不具合があった。
【００１２】
また、図１４（Ａ）及び図１４（Ｂ）に示すように、プリピットをウォブリングした場合、プリグルーブに比べてＷＣＮ（Wobble C/N比）が低く、ウォブル量を増やすとジッタが増えてしまうという問題があった。この解決手段としても、上記プリピットとプリピットの間のグルーブが有効である。
【特許文献１】特開平５−６５７８号公報
【特許文献２】特開平５−１２６８０号公報
【特許文献３】特開平６−１３１７０１号公報
【特許文献４】特開平８−７３３９号公報
【特許文献５】特開平５−３６０８７号公報
【発明の開示】
【発明が解決しようとする課題】
【００１３】
本発明は、上述のごとき実情に鑑みてなされたものであり、ピットのジッタを悪化させることなくピット部のトラッキングエラー信号とＷＣＮを改善したＲＯＭ領域と記録可能領域とを有する光情報記録媒体を提供することを目的とするものである。
【課題を解決するための手段】
【００１４】
請求項１の発明は、予めプリピットが設けられたＲＯＭ領域を有する光情報記録媒体において、前記ＲＯＭ領域のプリピットの列のプリピット間に該プリピットよりも浅いピットが形成されていることを特徴としたものである。
【００１５】
請求項２の発明は、請求項１の発明において、前記プリピット間のピットは、二つのプリピットの両方に連結していることを特徴としたものである。
【００１６】
請求項３の発明は、請求項１の発明において、前記プリピット間のピットの深さが、前記案内溝の深さに同等であることを特徴としたものである。
【００１７】
請求項４の発明は、請求項１の発明において、前記プリピット間のピットの幅は、前記案内溝の幅に同等であるか、または前記案内溝の幅よりも狭いことを特徴としたものである。
【００１８】
請求項５の発明は、請求項１に発明において、前記ＲＯＭ領域のプリピット列のプリピット間に該プリピットよりも浅いピットが設けられ、該プリピット間に設けられたピットのウォブリング量が、前記プリピットのウォブリング量より大きいことを特徴としたものである。
【００１９】
請求項６の発明は、請求項１に発明において、前記ＲＯＭ領域と、プリグルーブが設けられた記録可能なＲＡＭ領域とが形成されていることを特徴としたものである。
【発明の効果】
【００２０】
本発明によれば、プリピットとプリピットの間をピット間溝またはピット間ピットで繋ぐことにより、トラッキングエラー信号、ＷＣＮ等を改善し、さらにピット間溝によるジッタの悪化を防ぐことができる。
【００２１】
さらに本発明によれば、プリピットとグルーブの配置寸法を規定することにより、プリピットとピット間溝の間隔が広くなることによるＷＣＮの悪化を防止することができる。
さらに本発明によれば、ジッタを悪化させることなく、ＷＣＮを向上させることができる。
【００２２】
さらに本発明によれば、プリピット間のピットの幅または深さを案内溝と同等な幅、深さにすることにより、案内溝と同等なトラッキングエラー信号を確保することできる。
【発明を実施するための最良の形態】
【００２３】
本発明の第１の実施形態の構成は、予めプリピットが設けられたＲＯＭ領域と、案内溝が設けられた記録可能領域とを有する光情報記録媒体において、基板に刻まれたプリピットと他のプリピットの間にグルーブ（ピット間溝）を形成し、さらに、プリピットとピット間溝の接合部の幅及び深さを、ピット間溝よりも狭くかつ浅くすることによって、ピット間溝とプリピットを分離し、プリピットがピット間溝の影響を受けないようにしたものである。
【００２４】
本発明の第２の実施形態の構成は、予めプリピットが設けられたＲＯＭ領域と、案内溝が設けられた記録可能領域とを有する光情報記録媒体において、基板に刻まれたプリピットとプリピットの間に浅いピット（ピット間ピット）をプリピットに連続して形成したものである。
【００２５】
（実施例１）
図１は、本発明による光情報記録媒体の実施形態を説明するための図で、図１（Ａ）はＣＤ−Ｒ表面のピット構成を概略的に示す部分拡大平面図で、図１（Ｂ）は図１（Ａ）のラインＢにおける円周方向断面を概略的に示す図で、図１（Ｃ）は図１（Ａ）のラインＣにおける半径方向断面を概略的に示す図である。ＲＯＭ領域には、３２００Å深さのプリピット１が設けられており、これらのプリピットとプリピットの間には、深さ１８００Åでプリピット１との接合部２ａでくびれているピット間溝２が形成されている。
【００２６】
本実施例では、３２００Å深さのプリピット１と１８００Å深さの案内溝（図示せず）とを有する基板を作成し、同様にハイブリッドＣＤ−Ｒメディアを作成した。そしてピット間溝２におけるプリピット１とピット間溝２の接合部２ａの寸法を、当該接合部２ａを除くピット間溝２の他の部分（以下、“主要部”として説明する）より狭く（主要部の幅×１／２≦接合部の幅）、かつ浅く（主要部の深さ×１／２≦接合部の深さ）なるように形成して、プリピット１とピット間溝２の主要部とを分離した。図５の実施例１に示すように、本構成によりpush-pull信号を劣化させることなく、後述する従来技術による比較例２に比べジッタを約１０ｎｓｅｃ改善することができた。またピットを７０ｎｍウォブリングした場合のＷＣＮは後述する比較例２とほとんど同じレベルを保つことができた。
【００２７】
（実施例２）
本実施例は実施例１と同様に図１に示すごとくの構成を有するが、ピット間溝２におけるプリピット１との接合部２ａの幅を主要部の幅の１／２より小さくし、また接合部２ａの深さを主要部の深さの１／２より小さくして、ピット１とピット間溝２の主要部との分離を大きくした。本実施例の構成により、図５に示すように、ＷＣＮが低下した。
【００２８】
（実施例３）
本実施例もまた実施例１及び２と同様に図１に示すごとくの構成を有するが、プリピット１のウォブリング量はそのままにして、ピット間溝のウォブリング量を１１０ｎｍに増大させた。本実施例の構成により、実施例２に比してジッタは同等で、ＷＣＮは２ｄＢ大きくすることができた。
【００２９】
（実施例４）
図２は、本発明による光情報記録媒体の他の実施形態を説明するための図で、図２（Ａ）はＣＤ−Ｒ表面のピット構成を概略的に示す部分拡大平面図で、図２（Ｂ）は図２（Ａ）のラインＢにおける円周方向断面を概略的に示す図で、図２（Ｃ）は図２（Ａ）のラインＣにおける半径方向断面を概略的に示す図である。本実施例のＲＯＭ領域には３２００Å深さのプリピット１が設けられ、これらプリピット１と他のプリピット１の間は、深さ１８００Åのピット間ピット３で連結されている。上記のごとくのプリピット構造と、１８００Åの案内溝（図示せず）とを有する基板を作成し、同様にハイブリッドＣＤ−Ｒメディアを作成した。図５に示すように、実施例１と同様、ジッタ、ＷＣＮ、push-pullとも仕様を満足した。また、ピット間ピット３とプリピット１との間に間隔を開けると、ＷＣＮが低下し、またプリピット信号の歪みも発生した。
【００３０】
（実施例５）
本実施例は実施例４と同様に図２に示すごとくの構成を有するが、プリピット１のウォブリング量はそのままにして、ピット間ピット３のウォブリング量を１１０ｎｍに増大させた。本実施例の構成により、実施例４に比してジッタは同等で、ＷＣＮは２ｄＢ大きくすることができた。
【００３１】
（比較例１）
図３は、従来の構成による光情報記録媒体の比較例を説明するための図で、図３（Ａ）はＣＤ−Ｒ表面のピット構成を概略的に示す部分拡大平面図で、図３（Ｂ）は図３（Ａ）のラインＢにおける円周方向断面を概略的に示す図で、図３（Ｃ）は図３（Ａ）のラインＣにおける半径方向断面を概略的に示す図である。従来の技術の手法で、約３２００Å深さのプリピット１と、１８００Å深さの案内溝を有する基板を作成し、フタロシアニン色素を塗布し、反射膜を付与して、ハイブリッドＣＤ−Ｒメディアを作成した。図５に示すように、この比較例１のメディアのジッタは２７ｎｓｅｃと低いがpush-pull信号が小さく、記録可能領域のpush-pull信号０.１３〜０.１８との差が大きすぎるため、トラッキングが発振してしまった。また、ピットを７０ｎｍウォブリングした場合のＷＣＮは３０ｄＢと必要とされる３３ｄＢを大きく下回った。
【００３２】
（比較例２）
図４は、従来の構成による光情報記録媒体の他の比較例を説明するための図で、図４（Ａ）はＣＤ−Ｒ表面のピット構成を概略的に示す部分拡大平面図で、図４（Ｂ）は図４（Ａ）のラインＢにおける円周方向断面を概略的に示す図で、図４（Ｃ）は図４（Ａ）のラインＣにおける半径方向断面を概略的に示す図である。本比較例は、３２００Å深さのプリピット１、及びそれらプリピット１間に形成した図示するごとくの形状の１８００Å深さのピット間溝２によるピット構成と、１８００Åの案内溝とを有する基板を作成し、同様にハイブリッドＣＤ−Ｒメディアを作成した。図５に示すように、比較例２のメディアのpush-pull信号は、記録可能領域と大差ないが、ジッタは４０ｎｓｅｃ以上あり、仕様（３５ｎｓｅｃ）を大きくオーバーしてしまった（ＷＣＮは３８ｄＢ）。
【００３３】
次に本発明の第３の実施の形態及びその具体的な実施例と比較例について説明する。本発明の第３の実施形態の構成は、ＲＯＭ領域のプリピットと他のプリピットとの間にピット間グルーブが形成された光記録情報媒体において、プリピットとピット間グルーブとの接合部を分離し、該接合部に高さ方向に突起する角状突起部が形成された状態とすることにより、トラック方向の断面形状の急峻度を大きくし、これにより、プリピット部のジッタを改善するようにしたものである。
【００３４】
上記の接合部の角状突起部は、原盤露光時におけるレーザ駆動パルスのコントロールによって形成することができる。すなわち、ピット照射パルスの立ち下がり〜ピット間グルーブ照射パルスの立ち上がりの間隔（Ｔｗ）及びピット照射パルスの立ち上がり〜ピット間グルーブ照射パルスの立ち下がりの間隔（Ｔｗ’）をコントロールすることにより。上記の接合部がフラットになったり突起が形成されたりする。通常、３Ｔ〜１１Ｔのピット、ピット間グルーブ切り替え時に同じＴｗで、かつＴｗ＝Ｔｗ’の条件で露光する。
【００３５】
図６は、本発明の光情報記録媒体の第３の実施形態における基板のトラック方向の断面形状を概念的に示す図で、図中、１はプリピット、２はピット間グルーブ、５は角状突起部、Ｈｐはプリピット１の底部から角状突起部５の頂点までの高さ、Ｈｇはピット間グルーブ２の底部から角状突起部５の頂点までの高さ、Ｌｂｐはプリピット１の底部のトラック方向長さ、Ｌｂｇはピット間グルーブ２の底部のトラック方向長さである。
【００３６】
図７は、Ｔｗを変化させて作成した各種基板を用いた光情報記録媒体のＨｇ／Ｈｐに対するジッタの値を示すグラフである。Ｈｇ／Ｈｐが大きいほど、すなわち角状突起部５が大きい（高い）ほど、ジッタの値は良好となることがわかる。オレンジブックの規格である３５ｎｓ以下を満足するためには、Ｈｇ／Ｈｐ＞０.０８を満足することが必要である。
【００３７】
図８は、Ｔｗを変化させて作成した各種基板を用いた光情報記録媒体の３Ｔピット、３ＴランドのＬｂｇ／Ｌｂｐに対するＷＣＮの値を示すグラフである。Ｌｂｐが大きいほどＷＣＮが大きいオレンジブックの規格の２６ｄＢ以上を満足するためには、Ｌｂｇ／Ｌｂｐ＞０.７５が必要である。このとき、３Ｔ〜１１Ｔのピットとピット間グルーブとの露光切り替え時には同じＴｗで、かつＴｗ＝Ｔｗ’の条件で原盤露光しているので、図６におけるＷは３Ｔ〜１１Ｔの各ピット〜ピット間グルーブにおいてほぼ等しい。
【００３８】
（実施例６）
基板の表面上に、ＴＯＣ（Table Of Contents）部から基板半径３５ｍｍ部の内側まで、深さ３１００Å、幅０.６μｍ、トラックピッチ１.６μｍのプリピットと、これらプリピットを繋ぐ深さ１７００Å、幅０.４μｍのピット間グルーブとを設けた。さらにその外側に、深さ１７００Å、幅０.７μｍ、トラックピッチ１.６μｍの案内溝を設けた。
【００３９】
原盤露光時には、ＲＯＭ部プリピット照射パルスの立ち下がり〜ピット間グルーブ照射パルスの立ち上がりの間隔（Ｔｗ）を１５０ｎｓ、ＲＯＭ部プリピットの３Ｔ露光時間を４０３ｎｓ、４Ｔ〜１１Ｔの露光時間をＮ×２３１−２９０ｎｓ、ＲＯＭ部プリピット及びピット間グルーブのウォブル幅を７０ｎｍ（peak to peak）とした。
【００４０】
そしてフタロシロシアニン色素からなる光吸収層を、エチルシクロヘキサンからなる混合溶媒を用いた塗布液としてスピンコートすることにより設けた。光吸収層を塗布した後、１００℃、３０分で熱処理を行い、その後スパッタ法によりＡｇを約１４００Åの厚さに設けてこれを反射層とした。そしてその上に紫外線硬化樹脂をスピナにより塗布し、紫外線で硬化させ約５μｍの保護層とし、さらにその上に紫外線硬化インクをスクリーン印刷法により塗布し、紫外線で硬化後約１０μｍの上部保護層とした。以上の加工によってＣＤ−Ｒ光情報記録媒体を得た。
【００４１】
上記の光情報記録媒体を７８０Åのピックアップを有する記録再生装置で該記録媒体のＲＯＭ部を再生したところ、ジッタは２９ｎｓ、ＷＣＮは２８ｄＢの結果が得られた。このとき、Ｈｇ／Ｈｐは０.３３、Ｌｂｇ／Ｌｂｐは０.７８であった。
【００４２】
（比較例３）
Ｔｗの値を８０ｎｓとした以外は、上記実施例６と同様の条件で原盤露光して光情報記録媒体を作成した。この光情報記録媒体のＲＯＭ部を７８０Åのピックアップを有する記録再生装置で再生したところ、ジッタは３８ｎｓ、ＷＣＮは３３.５ｄＢの結果が得られ、ＷＣＮはオレンジブックの規格を満たしたが、ジッタは同規格の３５ｎｓｗを満たさなかった。このとき、Ｈｇ／Ｈｐは０.０４、Ｌｂｇ／Ｌｂｐは０.９５であった。
【００４３】
（比較例４）
Ｔｗの値を２００ｎｓとした以外は、上記実施例６と同様の条件で原盤露光して光情報記録媒体を作成した。この光情報記録媒体のＲＯＭ部を７８０Åのピックアップを有する記録再生装置で再生したところ、ジッタは２８ｎｓ、ＷＣＮは２５.５ｄＢの結果が得られた。このとき、Ｈｇ／Ｈｐは０.５８、Ｌｂｇ／Ｌｂｐは０.６６であった。
【図面の簡単な説明】
【００４４】
【図１】本発明による光情報記録媒体の一実施形態の構成を説明するための図である。
【図２】本発明による光情報記録媒体の他の実施形態の構成を説明するための図である。
【図３】従来の構成による光情報記録媒体の比較例を説明するための図である。
【図４】従来の構成による光情報記録媒体の他の比較例を説明するための図である。
【図５】本発明の実施例及び比較例において得られた性能を示す表である。
【図６】本発明による光情報記録媒体の他の実施形態のトラック方向の断面形状を概念的に示す図である。
【図７】図６の形態においてＴｗを変化させて作成した光情報記録媒体のＨｇ／Ｈｐに対するジッタの値を示したグラフである。
【図８】図６の形態においてＴｗを変化させて作成した光情報記録媒体のＬｂｇ／Ｌｂｐに対するＷＣＮの値を示したグラフである。
【図９】ハイブリッドＣＤ−Ｒの作成方法の一例を工程に従って示す図である。
【図１０】ハイブリッドＣＤ−Ｒの作成方法の一例を工程に従って示す図で、図９に続く工程を示す図である。
【図１１】プリピットの構成例を説明するための図である。
【図１２】プリピットを連結するピット間溝の構成例を説明するための図である。
【図１３】プリピットを連結するピット間溝の構成例を示す部分斜視図である。
【図１４】プリピットのウォブリング量とＷＣＮ（Wobble  C/N比）との関係、及びウォブリング量とＷＣＮとの関係を示すグラフである。
【符号の説明】
【００４５】
１…プリピット、１′…ピット形成部、２…ピット間溝、２′…グルーブ形成部、２ａ…接合部、３…ピット間ピット、４…ピット間溝、５…角状突起部、１０…ガラス基板、１１，１３…フォトレジスト膜、１２…中間層、１４…スタンパ（Ｎｉスタンパ）、１５…成形板、１６…記録剤、１７…反射層、１８…保護層、Ｉ…潜像、ｌ…レーザ光、Ｉ…情報領域、Ｉ１…記録領域、Ｉ２…ＲＯＭ領域。
【図１】
2007226965.tif 000003
【図２】
2007226965.tif 000004
【図３】
2007226965.tif 000005
【図４】
2007226965.tif 000006
【図５】
2007226965.tif 000007
【図６】
2007226965.tif 000008
【図７】
2007226965.tif 000009
【図８】
2007226965.tif 000010
【図９】
2007226965.tif 000011
【図１０】
2007226965.tif 000012
【図１１】
2007226965.tif 000013
【図１２】
2007226965.tif 000014
【図１３】
2007226965.tif 000015
【図１４】
2007226965.tif 000016